(57)【特許請求の範囲】
【請求項１】
ネットワークを介して所望の映像データと所望のホログラム画像データに基づくホログラムフレームとの注文を行う複数の購入申込端末と、
上記複数の購入申込端末と上記ネットワークを介して接続され、上記購入申込端末のそれぞれから要求された上記所望の映像データ及び上記所望のホログラム画像データに基づくホログラムフレームの注文を受け付ける注文受付装置と、
上記注文受付装置と上記ネットワークとは異なる他のネットワークを介して接続され、少なくとも上記映像データ及び上記ホログラム画像データを複数蓄積している蓄積装置と、
上記注文受付装置と上記ネットワークを介して接続され、上記蓄積装置に蓄積されている上記映像データのうち、上記購入申込端末により注文された上記所望の映像データが送信され、上記所望の映像データをユーザに鑑賞可能とさせる鑑賞端末と、
上記複数の購入申込端末と上記ネットワークを介して接続され、少なくとも注文された上記所望のホログラム画像データに基づくホログラムフレームに対する課金及び決済を行う課金及び決済装置と、
上記注文受付装置と上記他のネットワークを介して接続され、上記課金及び決済装置によって課金及び決済が行われるのに応じて、上記購入申込端末によって上記ネットワークを介して上記注文受付装置に注文された上記ホログラム画像データに基づいたホログラムフレームの配送を、上記他のネットワークを介して受注する受注装置と、
上記注文受付装置と上記他のネットワークを介して接続され、上記他のネットワークを介して上記蓄積装置から供給されたホログラム画像データをホログラムフレームとして印刷して出力するホログラム印刷出力装置と、
上記注文受付装置と上記他のネットワークを介して接続され、上記ホログラム印刷出力装置によって印刷されたホログラムフレームの出荷処理を行う出荷端末とを備え、
上記ホログラムフレームは、上記出荷端末からユーザに配送され、上記鑑賞端末に貼付される
ホログラム受注プリントシステム。
【請求項２】
上記購入申込端末は、注文の内容を示す注文データを生成し、上記注文データを上記ネットワークを介して上記注文受付装置に供給する
請求項１記載のホログラム受注プリントシステム。
【請求項３】
上記購入申込端末は、上記鑑賞端末に関する情報である鑑賞端末情報を注文データとして生成し、上記注文データを上記ネットワークを介して上記注文受付装置に供給し、
上記ホログラム印刷出力装置は、上記注文データに応じて上記ホログラムフレームを印刷する
請求項１記載のホログラム受注プリントシステム。
【請求項４】
上記鑑賞端末情報は、上記鑑賞端末の機種情報であり、
上記ホログラム印刷出力装置は、上記機種情報に基づいて、上記鑑賞端末の表示画面に見合った大きさの上記ホログラムフレームを印刷する
請求項３記載のホログラム受注プリントシステム。
【請求項５】
上記購入申込端末は、料金の支払いに必要となる支払方法に関する情報である支払情報を注文データとして生成し、上記注文データを上記ネットワークを介して上記課金及び決済装置に供給する
請求項１記載のホログラム受注プリントシステム。
【請求項６】
上記課金及び決済装置は、上記ネットワークを介して上記購入申込端末から供給される上記注文データに基づいて、少なくとも注文された上記所望のホログラム画像データに基づくホログラムフレームに対する課金及び決済を行う
請求項５記載のホログラム受注プリントシステム。
【請求項７】
上記注文受付装置は、上記課金及び決済装置によって課金処理が完了すると、注文の内容を示す受注データを生成し、上記受注データを上記他のネットワークを介して上記受注装置に供給する
請求項６記載のホログラム受注プリントシステム。
【請求項８】
上記注文受付装置と上記ネットワークを介して接続され、上記鑑賞端末に上記所望の映像データを送信する画像処理装置を備え、
上記画像処理装置は、上記他のネットワークを介して上記蓄積装置から供給されたホログラム画像データに対して所定の処理を施し、上記映像データと処理後のホログラム画像データとを合成してプレビュー表示するためのプレビュー画像を生成する
請求項１記載のホログラム受注プリントシステム。
【請求項９】
上記購入申込端末は、上記ネットワークを介して上記画像処理装置から供給された上記プレビュー画像を表示部に表示し、上記プレビュー画像の結果に応じて、料金の支払いに必要となる支払方法に関する情報である支払情報を注文データとして生成し、上記注文データを上記ネットワークを介して上記課金及び決済装置に供給する
請求項８記載のホログラム受注プリントシステム。
【請求項１０】
上記蓄積装置は、広告画像データを複数記憶しており、
上記画像処理装置は、上記他のネットワークを介して上記蓄積装置から供給された上記ホログラム画像データ及び上記広告画像データに対して所定の処理を施し、上記映像データと広告画像の組み込まれた処理後のホログラム画像データとを合成してプレビュー表示するためのプレビュー画像を生成する
請求項８記載のホログラム受注プリントシステム。
【請求項１１】
上記広告画像データは、購入申込端末にて選択可能とされており、
上記購入申込端末は、選択した広告画像データの注文の内容を示す注文データを生成し、上記注文データを上記ネットワークを介して上記注文受付装置に供給する
請求項１０記載のホログラム受注プリントシステム。
【請求項１２】
上記購入申込端末は、上記ホログラムフレームと合成する所望の文字及び／又は画像に対応する画像データを上記ネットワークを介して上記画像処理装置に供給し、
上記画像処理装置は、上記他のネットワークを介して上記蓄積装置から供給された上記所望のホログラム画像データ及び上記ネットワークを介して上記購入申込端末から供給された上記画像データに対して所定の処理を施し、上記映像データと上記所望の文字及び／又は画像の組み込まれた処理後のホログラム画像データとを合成してプレビュー表示するためのプレビュー画像を生成する
請求項８記載のホログラム受注プリントシステム。
【請求項１３】
複数の購入申込端末により、ネットワークを介して所望の映像データと所望のホログラム画像データに基づくホログラムフレームとの注文が行われ、
上記複数の購入申込端末と上記ネットワークを介して接続された注文受付装置により、上記注文受付装置と上記ネットワークとは異なる他のネットワークを介して接続された蓄積装置が複数蓄積している上記映像データ及び上記ホログラム画像データのうち、上記購入申込端末のそれぞれから要求された上記所望の映像データ及び上記所望のホログラム画像データに基づくホログラムフレームの注文が受け付けられ、
上記注文受付装置と上記ネットワークを介して接続された鑑賞端末に対して、上記蓄積装置に蓄積されている上記映像データのうち、上記購入申込端末により注文された上記所望の映像データが送信されることで、上記所望の映像データをユーザに鑑賞可能とさせ、
上記複数の購入申込端末と上記ネットワークを介して接続された課金及び決済装置により、少なくとも注文された上記所望のホログラム画像データに基づくホログラムフレームに対する課金及び決済が行われ、
上記注文受付装置と上記他のネットワークを介して接続された受注装置により、上記課金及び決済装置によって課金及び決済が行われるのに応じて、上記購入申込端末によって上記ネットワークを介して上記注文受付装置に注文された上記ホログラム画像データに基づいたホログラムフレームの配送が、上記他のネットワークを介して受注され、
上記注文受付装置と上記他のネットワークを介して接続されたホログラム印刷出力装置により、上記他のネットワークを介して上記蓄積装置から供給されたホログラム画像データがホログラムフレームとして印刷されて出力され、
上記注文受付装置と上記他のネットワークを介して接続された出荷端末により、上記ホログラム印刷出力装置によって印刷されたホログラムフレームの出荷処理が行われ、
上記ホログラムフレームは、上記出荷端末からユーザに配送され、上記鑑賞端末に貼付される
ホログラム受注プリント方法。
【請求項１４】
上記購入申込端末により、注文の内容を示す注文データが生成され、上記注文データが上記ネットワークを介して上記注文受付装置に供給される
請求項１３記載のホログラム受注プリント方法。
【請求項１５】
上記購入申込端末により、上記鑑賞端末に関する情報である鑑賞端末情報が注文データとして生成され、上記注文データが上記ネットワークを介して上記注文受付装置に供給され、
上記ホログラム印刷出力装置により、上記注文データに応じて上記ホログラムフレームが印刷される
請求項１３記載のホログラム受注プリント方法。
【請求項１６】
上記鑑賞端末情報は、上記鑑賞端末の機種情報であり、
上記ホログラム印刷出力装置により、上記機種情報に基づいて、上記鑑賞端末の表示画面に見合った大きさの上記ホログラムフレームが印刷される
請求項１５記載のホログラム受注プリント方法。
【請求項１７】
上記購入申込端末により、料金の支払いに必要となる支払方法に関する情報である支払情報が注文データとして生成され、上記注文データが上記ネットワークを介して上記課金及び決済装置に供給される
請求項１３記載のホログラム受注プリント方法。
【請求項１８】
上記課金及び決済装置により、上記ネットワークを介して上記購入申込端末から供給される上記注文データに基づいて、少なくとも注文された上記所望のホログラム画像データに基づくホログラムフレームに対する課金及び決済が行われる
請求項１７記載のホログラム受注プリント方法。
【請求項１９】
上記注文受付装置により、上記課金及び決済装置によって課金処理が完了すると、注文の内容を示す受注データが生成され、上記受注データが上記他のネットワークを介して上記受注装置に供給される
請求項１７記載のホログラム受注プリント方法。
【請求項２０】
上記注文受付装置と上記ネットワークを介して接続された画像処理装置によって、上記鑑賞端末に上記所望の映像データが送信され、
上記画像処理装置により、上記他のネットワークを介して上記蓄積装置から供給されたホログラム画像データに対して所定の処理が施され、上記映像データと処理後のホログラム画像データとを合成してプレビュー表示するためのプレビュー画像が生成される
請求項１３記載のホログラム受注プリント方法。
【請求項２１】
上記購入申込端末により、上記ネットワークを介して上記画像処理装置から供給された上記プレビュー画像が表示部に表示され、上記プレビュー画像の結果に応じて、料金の支払いに必要となる支払方法に関する情報である支払情報が注文データとして生成され、上記注文データが上記ネットワークを介して上記課金及び決済装置に供給される
請求項２０記載のホログラム受注プリント方法。
【請求項２２】
上記蓄積装置は、広告画像データを複数記憶しており、
上記画像処理装置により、上記他のネットワークを介して上記蓄積装置から供給された上記ホログラム画像データ及び上記広告画像データに対して所定の処理が施され、上記映像データと広告画像の組み込まれた処理後のホログラム画像データとが合成されてプレビュー表示するためのプレビュー画像が生成される
請求項２０記載のホログラム受注プリント方法。
【請求項２３】
上記広告画像データは、上記購入申込端末にて選択可能とされており、
上記購入申込端末により、選択した広告画像データの注文の内容を示す注文データが生成され、上記注文データが上記ネットワークを介して上記注文受付装置に供給される
請求項２２記載のホログラム受注プリント方法。
【請求項２４】
上記購入申込端末により、上記ホログラムフレームと合成する所望の文字及び／又は画像に対応する画像データが上記ネットワークを介して上記画像処理装置に供給され、
上記画像処理装置により、上記他のネットワークを介して上記蓄積装置から供給された上記所望のホログラム画像データ及び上記ネットワークを介して上記購入申込端末から供給された上記画像データに対して所定の処理が施され、上記映像データと上記所望の文字及び／又は画像の組み込まれた処理後のホログラム画像データとが合成されてプレビュー表示するためのプレビュー画像が生成される
請求項２０記載のホログラム受注プリント方法。
【請求項２５】
既に鑑賞端末に送信済みの送信済映像データの情報に基づいて、ネットワークを介して所望のホログラム画像データに基づくホログラムフレームの注文を行う複数の購入申込端末と、
上記複数の購入申込端末と上記ネットワークを介して接続され、上記購入申込端末のそれぞれから要求された上記所望のホログラム画像データに基づくホログラムフレームの注文を受け付ける注文受付装置と、
上記注文受付装置と上記ネットワークとは異なる他のネットワークを介して接続され、少なくとも上記映像データ及び上記ホログラム画像データを複数蓄積している蓄積装置と、
上記複数の購入申込端末と上記ネットワークを介して接続され、少なくとも注文された上記所望のホログラム画像データに基づくホログラムフレームに対する課金及び決済を行う課金及び決済装置と、
上記注文受付装置と上記他のネットワークを介して接続され、上記課金及び決済装置によって課金及び決済が行われるのに応じて、上記購入申込端末によって上記ネットワークを介して上記注文受付装置に注文された上記ホログラム画像データに基づいたホログラムフレームの配送を、上記他のネットワークを介して受注する受注装置と、
上記注文受付装置と上記他のネットワークを介して接続され、上記他のネットワークを介して上記蓄積装置から供給されたホログラム画像データをホログラムフレームとして印刷して出力するホログラム印刷出力装置と、
上記注文受付装置と上記他のネットワークを介して接続され、上記ホログラム印刷出力装置によって印刷されたホログラムフレームの出荷処理を行う出荷端末とを備え、
上記ホログラムフレームは、上記出荷端末からユーザに配送され、上記鑑賞端末に貼付される
ホログラム受注プリントシステム。
【請求項２６】
複数の購入申込端末により、既に鑑賞端末に送信済みの送信済映像データの情報に基づいて、ネットワークを介して所望のホログラム画像データに基づくホログラムフレームの注文が行われ、
上記複数の購入申込端末と上記ネットワークを介して接続された注文受付装置により、上記注文受付装置と上記ネットワークとは異なる他のネットワークを介して接続された蓄積装置が複数蓄積している上記ホログラム画像データのうち、上記購入申込端末のそれぞれから要求された上記所望のホログラム画像データに基づくホログラムフレームの注文が受け付けられ、
上記複数の購入申込端末と上記ネットワークを介して接続された課金及び決済装置により、少なくとも注文された上記所望のホログラム画像データに対する課金及び決済が行われ、
上記注文受付装置と上記他のネットワークを介して接続された受注装置により、上記課金及び決済装置によって課金及び決済が行われるのに応じて、上記購入申込端末によって上記ネットワークを介して上記注文受付装置に注文された上記ホログラム画像データに基づいたホログラムフレームの配送が、上記他のネットワークを介して受注され、
上記注文受付装置と上記他のネットワークを介して接続されたホログラム印刷出力装置により、上記他のネットワークを介して上記蓄積装置から供給されたホログラム画像データがホログラムフレームとして印刷されて出力され、
上記注文受付装置と上記他のネットワークを介して接続された出荷端末により、上記ホログラム印刷出力装置によって印刷されたホログラムフレームの出荷処理が行われ、
上記ホログラムフレームは、上記出荷端末からユーザに配送され、上記鑑賞端末に貼付される
ホログラム受注プリント方法。
【発明の詳細な説明】
【０００１】
【発明の属する技術分野】
本発明は、ネットワークを介して映像データ及びホログラムの受注を行うホログラム受注プリントシステム及びホログラム受注プリント方法に関する。
【０００２】
【従来の技術】
近年、いわゆるインターネット等のネットワークを介して静止画像や動画像等の映像データをパーソナルコンピュータや携帯端末等の通信端末にダウンロードするシステムが確立しており、広くユーザに行われるようになっている。このようなシステムにおいては、ユーザが通信端末を用いて事業者が運営するいわゆるウェブサイトにアクセスし、簡易な操作により所望の映像データをダウンロードすることができる。
【０００３】
また、物体に照射された物体光と参照光との干渉縞をホログラム用記録媒体に露光記録し、このホログラム用記録媒体に再生光を照射することで、物体を３次元再生させるホログラムの技術も発展してきており、干渉計測や光情報処理等に応用されている他、宣伝、広告、装飾等にも応用され、鑑賞対象としても利用されている。
【０００４】
【発明が解決しようとする課題】
ところで、従来、ダウンロードした映像は、映像単独で、また、ホログラムは、ホログラム単独で鑑賞されており、ダウンロードした映像とホログラムとを同時に鑑賞することで映像効果をより高めることは、行われていなかった。
【０００５】
また、ウェブサイトを運営する事業者が広告画像を入れようとする場合、事業者は、広告画像をダウンロード用の映像データの一部にしか入れることができなかった。
【０００６】
本発明は、このような従来の実情に鑑みて提案されたものであり、映像データとホログラム画像とをユーザの嗜好に合わせて同時に鑑賞することを可能とするホログラム受注プリントシステム及びホログラム受注プリント方法を提供することを目的とする。
【０００７】
【課題を解決するための手段】
上述した目的を達成するために、本発明に係るホログラム受注プリントシステムは、ネットワークを介して所望の映像データと所望のホログラム画像データに基づくホログラムフレームとの注文を行う複数の購入申込端末と、複数の購入申込端末とネットワークを介して接続され、購入申込端末のそれぞれから要求された所望の映像データ及び所望のホログラム画像データに基づくホログラムフレームの注文を受け付ける注文受付装置と、注文受付装置とネットワークとは異なる他のネットワークを介して接続され、少なくとも映像データ及びホログラム画像データを複数蓄積している蓄積装置と、注文受付装置とネットワークを介して接続され、蓄積装置に蓄積されている映像データのうち、購入申込端末により注文された所望の映像データが送信され、所望の映像データをユーザに鑑賞可能とさせる鑑賞端末と、複数の購入申込端末とネットワークを介して接続され、少なくとも注文された所望のホログラム画像データに基づくホログラムフレームに対する課金及び決済を行う課金及び決済装置と、注文受付装置と他のネットワークを介して接続され、課金及び決済装置によって課金及び決済が行われるのに応じて、購入申込端末によってネットワークを介して注文受付装置に注文されたホログラム画像データに基づいたホログラムフレームの配送を、他のネットワークを介して受注する受注装置と、注文受付装置と他のネットワークを介して接続され、他のネットワークを介して蓄積装置から供給されたホログラム画像データをホログラムフレームとして印刷して出力するホログラム印刷出力装置と、注文受付装置と他のネットワークを介して接続され、ホログラム印刷出力装置によって印刷されたホログラムフレームの出荷処理を行う出荷端末とを備え、ホログラムフレームは、出荷端末からユーザに配送され、鑑賞端末に貼付されることを特徴としている。
【０００８】
このような本発明に係るホログラム受注プリントシステムでは、購入申込端末によって所望の映像データとホログラム画像データに基づくホログラムフレームとが注文され、映像データが鑑賞端末に送信されるとともに、ホログラム画像データを基にしたホログラムフレームがユーザに配送され、ホログラムフレームは、鑑賞端末に貼付される。
【０００９】
また、上述した目的を達成するために、本発明に係るホログラム受注プリント方法は、複数の購入申込端末により、ネットワークを介して所望の映像データと所望のホログラム画像データに基づくホログラムフレームとの注文が行われ、複数の購入申込端末とネットワークを介して接続された注文受付装置により、注文受付装置と上記ネットワークとは異なる他のネットワークを介して接続された蓄積装置が複数蓄積している映像データ及びホログラム画像データのうち、購入申込端末のそれぞれから要求された所望の映像データ及び所望のホログラム画像データに基づくホログラムフレームの注文が受け付けられ、注文受付装置とネットワークを介して接続された鑑賞端末に対して、蓄積装置に蓄積されている映像データのうち、購入申込端末により注文された所望の映像データが送信されることで、所望の映像データをユーザに鑑賞可能とされ、複数の購入申込端末とネットワークを介して接続された課金及び決済装置により、少なくとも注文された所望のホログラム画像データに基づくホログラムフレームに対する課金及び決済が行われ、注文受付装置と他のネットワークを介して接続された受注装置により、課金及び決済装置によって課金及び決済が行われるのに応じて、購入申込端末によってネットワークを介して注文受付装置に注文されたホログラム画像データに基づいたホログラムフレームの配送が、他のネットワークを介して受注され、注文受付装置と他のネットワークを介して接続されたホログラム印刷出力装置により、他のネットワークを介して蓄積装置から供給されたホログラム画像データがホログラムフレームとして印刷されて出力され、注文受付装置と他のネットワークを介して接続された出荷端末により、ホログラム印刷出力装置によって印刷されたホログラムフレームの出荷処理が行われ、ホログラムフレームは、出荷端末からユーザに配送され、鑑賞端末に貼付されるこことを特徴としている。
【００１０】
このような本発明に係るホログラム受注プリント方法では、購入申込端末によって所望の映像データとホログラム画像データに基づくホログラムフレームとが注文され、映像データが鑑賞端末に送信されるとともに、ホログラム画像データを基にしたホログラムフレームがユーザに配送され、ホログラムフレームは、鑑賞端末に貼付される。
【００１１】
また、上述した目的を達成するために、本発明に係るホログラム受注プリントシステムは、既に鑑賞端末に送信済みの送信済映像データの情報に基づいて、ネットワークを介して所望のホログラム画像データに基づくホログラムフレームの注文を行う複数の購入申込端末と、複数の購入申込端末とネットワークを介して接続され、購入申込端末のそれぞれから要求された所望のホログラム画像データに基づくホログラムフレームの注文を受け付ける注文受付装置と、注文受付装置とネットワークとは異なる他のネットワークを介して接続され、少なくとも映像データ及びホログラム画像データを複数蓄積している蓄積装置と、複数の購入申込端末とネットワークを介して接続され、少なくとも注文された所望のホログラム画像データに基づくホログラムフレームに対する課金及び決済を行う課金及び決済装置と、注文受付装置と他のネットワークを介して接続され、課金及び決済装置によって課金及び決済が行われるのに応じて、購入申込端末によってネットワークを介して注文受付装置に注文されたホログラム画像データに基づいたホログラムフレームの配送を、他のネットワークを介して受注する受注装置と、注文受付装置と他のネットワークを介して接続され、他のネットワークを介して蓄積装置から供給されたホログラム画像データをホログラムフレームとして印刷して出力するホログラム印刷出力装置と、注文受付装置と他のネットワークを介して接続され、ホログラム印刷出力装置によって印刷されたホログラムフレームの出荷処理を行う出荷端末とを備え、ホログラムフレームは、出荷端末からユーザに配送され、鑑賞端末に貼付されることを特徴としている。
【００１２】
このような本発明に係るホログラム受注プリントシステムでは、既に注文されて鑑賞端末に送信された映像データの情報に基づいて、購入申込端末によって所望のホログラム画像データが注文され、ホログラム画像データを基にしたホログラムフレームがユーザに配送され、ホログラムフレームは、鑑賞端末に貼付される。
【００１３】
また、上述した目的を達成するため、本発明に係るホログラム受注プリント方法は、複数の購入申込端末により、既に鑑賞端末に送信済みの送信済映像データの情報に基づいて、ネットワークを介して所望のホログラム画像データに基づくホログラムフレームの注文が行われ、複数の購入申込端末とネットワークを介して接続された注文受付装置により、注文受付装置とネットワークとは異なる他のネットワークを介して接続された蓄積装置が複数蓄積しているホログラム画像データのうち、購入申込端末のそれぞれから要求された所望のホログラム画像データに基づくホログラムフレームの注文が受け付けられ、複数の購入申込端末とネットワークを介して接続された課金及び決済装置により、少なくとも注文された所望のホログラム画像データに対する課金及び決済が行われ、注文受付装置と他のネットワークを介して接続された受注装置により、課金及び決済装置によって課金及び決済が行われるのに応じて、購入申込端末によってネットワークを介して注文受付装置に注文されたホログラム画像データに基づいたホログラムフレームの配送が、他のネットワークを介して受注され、注文受付装置と他のネットワークを介して接続されたホログラム印刷出力装置により、他のネットワークを介して蓄積装置から供給されたホログラム画像データがホログラムフレームとして印刷されて出力され、注文受付装置と他のネットワークを介して接続された出荷端末により、ホログラム印刷出力装置によって印刷されたホログラムフレームの出荷処理が行われ、ホログラムフレームは、出荷端末からユーザに配送され、鑑賞端末に貼付されることを特徴としている。
【００１４】
このような本発明に係るホログラム受注プリント方法では、既に注文されて鑑賞端末に送信された映像データに基づいて、購入申込端末によって所望のホログラム画像データが注文され、ホログラム画像データを基にしたホログラムフレームがユーザに配送され、ホログラムフレームは、鑑賞端末に貼付される。
【００１５】
【発明の実施の形態】
以下、本発明を適用した具体的な実施の形態について、図面を参照しながら詳細に説明する。
【００１６】
この実施の形態におけるホログラム受注プリントシステムは、ネットワークを介してユーザが映像データをダウンロードすると同時に、又はダウンロードした後にダウンロード先の端末に貼付するためのホログラムフレームを受注するものである。以下、ホログラムフレームは、ホログラフィックステレオグラムであるとして説明するが、ホログラムであっても構わないのは勿論である。
【００１７】
ホログラム受注プリントシステムは、図１に示すように、映像データ及びホログラムフレームの注文を受け付ける注文受付サーバ１０と、画像に対する各種処理を施す画像処理サーバ２０と、映像データを蓄積する映像蓄積サーバ３０と、ホログラムフレームの元画像となるホログラム画像データを蓄積するホログラム画像蓄積サーバ４０と、広告画像データを蓄積する広告画像蓄積サーバ５０と、少なくとも注文されたホログラム画像データに対する課金及び決済を行う課金・決済サーバ６０と、映像データの送信の受注及びホログラムフレームの配送の受注を行う受注サーバ７０と、ホログラム画像データを印刷してホログラムフレームを出力するホログラム印刷出力装置８０と、ホログラムフレームを出荷するための処理を行う出荷端末９０と、顧客であるユーザが所持し、映像データ及びホログラムフレームの購入申込を行う購入申込端末１００と、顧客であるユーザが所持し、映像データがダウンロードされるとともにホログラムフレームが貼付される鑑賞端末１１０とを備える。
【００１８】
これらの各装置のうち、映像蓄積サーバ３０、ホログラム画像蓄積サーバ４０、広告画像蓄積サーバ５０、受注サーバ７０、ホログラム印刷出力装置８０、及び出荷端末９０は、いわゆるバックヤードを構成し、注文受付サーバ１０、画像処理サーバ２０及び課金・決済サーバ６０は、ユーザに対応するいわゆるストアフロントとしてのサーバ群を構成する。また、購入申込端末１００及び鑑賞端末１１０と、注文受付サーバ１０、画像処理サーバ２０及び課金・決済サーバ６０とを結ぶネットワークは、いわゆるインターネット等の万人がアクセス可能とされるネットワーク網を示し、注文受付サーバ１０、画像処理サーバ２０及び課金・決済サーバ６０と、映像蓄積サーバ３０、ホログラム画像蓄積サーバ４０、広告画像蓄積サーバ５０、受注サーバ７０、ホログラム印刷出力装置８０及び出荷端末９０とを結ぶネットワークは、いわゆるイントラネット等の事業者ベースで構成されるネットワーク網を示している。すなわち、ホログラム受注プリントシステムは、複数の購入申込端末１００及び鑑賞端末１１０が注文受付サーバ１０、画像処理サーバ２０及び課金・決済サーバ６０を結ぶネットワークに接続されるものである。
【００１９】
注文受付サーバ１０は、購入申込端末１００からの注文を受け付ける際の処理全般及び各種データの生成等を行い、また、商品の注文の受付に関する各種情報をデータベースとして保存する。
【００２０】
注文受付サーバ１０は、購入申込端末１００から接続要求がされると、注文用の所定の初期画面を購入申込端末１００の図示しない表示部に表示させる。注文受付サーバ１０は、購入申込端末１００から注文データとして注文の内容を示す各種情報が供給され、この注文データに基づいて、注文に関する各種処理を行う。
【００２１】
具体的には、注文受付サーバ１０は、購入申込端末１００から注文の要求があると、ユーザの照会を行い、その結果、ユーザが適格者であった場合には、注文用の所定のメニュー画面を購入申込端末１００の表示画面に表示させ、購入申込端末１００によるこのメニュー画面を介した選択動作に応じて、ユーザがダウンロードを希望する映像データを画像処理サーバ２０を介してユーザの指定した鑑賞端末１１０に送信させる。また、映像データと鑑賞端末１１０に貼付されるホログラムフレームの元画像となるホログラム画像データとが合成された、若しくはこれらに加えてユーザから送信された文字情報及び／又は映像情報が合成されたプレビュー画像を購入申込端末１００の表示部に表示させるためのプレビュー表示指示制御信号を画像処理サーバ２０に供給する。そして、注文受付サーバ１０は、購入申込端末１００からプレビュー画像を確認して注文する旨を示す確認制御信号が供給されると、受付内容を確認するとともに、受付内容を画像処理サーバ２０へ供給する。ユーザがホログラム画像データと広告画像データとを合成することを受諾する場合には、注文受付サーバ１０は、広告画像蓄積サーバ５０に対して広告画像データを要求し、画像処理サーバ２０に供給させる。画像処理サーバ２０によって広告画像のプレビュー画像が購入申込端末１００に供給され、購入申込端末１００からプレビュー画像を確認して広告画像を受諾する旨を示す確認制御信号が供給されると、注文受付サーバ１０は、受付内容を最終的に確認し、受付内容を画像処理サーバ２０へ供給した後、料金の支払いに関する所定の支払方法画面を購入申込端末１００の表示部に表示させ、購入申込端末１００によるこの支払方法画面を介した選択動作に応じて、課金を指示する課金指示制御信号を課金・決済サーバ６０に供給する。さらに、注文受付サーバ１０は、課金・決済サーバ６０から課金処理が完了した旨を示す課金完了制御信号が供給されると、注文の受け付けが完了した旨を示す受付完了制御信号を購入申込端末１００に供給するとともに、当該注文の内容を示す受注データを受注サーバ７０に供給する。注文受付サーバ１０は、これらの注文の内容を示す注文に関する情報を注文の受付に関する各種情報として生成し、この情報をデータベースとして保存する。
【００２２】
注文受付サーバ１０は、図示しないが、例えばハードディスクドライブ等の大容量記憶媒体を有しており、生成された注文の受付に関する各種情報をデータベースとして保存する。
【００２３】
この記憶媒体に保存される注文の受付に関する各種情報の一例としては、注文毎に固有の識別番号とされる「注文番号」、映像データとホログラム画像データとに対するアクセス権の適格を認証するための「パスワード」、注文された日時を示す「注文日時」、注文を受けた映像データ及びホログラム画像データの種別を示す「映像種別」及び「ホログラム種別」、ホログラムフレームに組み込む広告画像の種別を示す「広告種別」、印刷されたホログラムフレームを貼付する鑑賞端末に関する情報を示す「鑑賞端末情報」、注文を受けた映像データ及びホログラム画像データの数量・価格を示す「注文数量」及び「注文価格」、料金の請求毎に固有の識別番号とされる「課金番号」、映像データのダウンロード先を示す「送信先アドレス」、印刷されたホログラムフレームの送付先を示す「送付先名前」及び「送付先住所」、ホログラムフレームの発送日を示す「発送日」等が挙げられる。勿論、これらに限定されるものではない。
【００２４】
注文受付サーバ１０は、複数の注文に対応して生成されるこのような情報をデータベースとして保存する。注文受付サーバ１０は、必要に応じて、記憶媒体から各種情報を読み出す。
【００２５】
このような注文受付サーバ１０は、映像データ及びホログラム画像データに基づくホログラムフレームの注文を受け付け、注文の受付に関する情報を生成する。
【００２６】
画像処理サーバ２０は、購入申込端末１００からの映像データ要求制御信号に対応して映像蓄積サーバ３０から読み出された映像データを購入申込端末１００にて指定された鑑賞端末１１０に送信する。
【００２７】
また、画像処理サーバ２０は、各種の画像処理を行う。画像処理サーバ２０は、注文受付サーバ１０から購入申込端末１００の図示しない表示部に画像を表示する旨を指示するためのプレビュー表示指示制御信号が供給されると、ホログラム画像データとユーザから送信された文字情報及び／又は映像情報とに対して必要に応じて画像処理を施し、映像データと合成してプレビュー画像として購入申込端末１００に供給し、表示部に表示させる。画像処理サーバ２０は、画像処理としては、例えば、ホログラムを作成するのに適した形式でホログラム画像蓄積サーバ４０に蓄積されていたホログラム画像データをプレビュー表示に適した形式に変換する処理や、必要に応じて、購入申込端末１００からの文字情報及び／又は画像情報をホログラム画像データと合成するような処理を行う。また、画像処理サーバ２０は、購入申込端末１００のユーザの受諾によりホログラムフレームに広告画像を合成する場合には、広告画像蓄積サーバ５０から供給された広告画像データに対して必要に応じて画像処理を施し、プレビュー画像を購入申込端末１００に供給し、表示部に表示させる。
【００２８】
さらに、画像処理サーバ２０は、注文受付サーバ１０から最終的な受付内容が供給されると、ホログラム画像データ、ユーザから送信された文字情報及び／又は映像情報、及び広告画像データに対してホログラム印刷に適した形式となるようにレンダリング処理を施し、処理後のデータをホログラム画像蓄積サーバ４０に供給する。
【００２９】
このような画像処理サーバ２０は、購入申込端末１００から要求された映像データを鑑賞端末１１０に送信する。また、ホログラム画像データ等に対して処理を施し、鑑賞端末１１０に貼付されるホログラムフレームの再生画像と同様の画像を映像データとともにプレビュー表示するためのプレビュー画像を生成する。また、画像処理サーバ２０は、ホログラム画像データ等と合成される広告画像データをプレビュー表示するためのプレビュー画像を生成する。また、ホログラム画像データ等に対してホログラム印刷に適した形式となるようにレンダリング処理を施し、処理後のデータをホログラム画像蓄積サーバ４０に供給する。
【００３０】
映像蓄積サーバ３０は、映像データを蓄積する際の制御全般を行う。映像蓄積サーバ３０は、種々の映像データを例えばハードディスクドライブ等の図示しない大容量記憶媒体に蓄積する。映像データとしては、例えば、予め撮影装置等によって撮影して得られたものや、コンピュータグラフィックス（Computer Graphics；ＣＧ）等によって生成されたものが挙げられる。なお、映像データは、静止画像であっても動画像であっても構わない。すなわち、映像蓄積サーバ３０は、購入申込端末１００がダウンロードするための各種映像データを前述の記憶媒体に蓄積する。
【００３１】
また、映像蓄積サーバ３０は、注文受付サーバ１０から映像データ要求制御信号が供給されると、要求された映像データを画像処理サーバ２０へ供給する。
【００３２】
このような画像蓄積サーバ３０は、種々の画像データを記憶媒体に蓄積するとともに、要求された映像データを画像処理サーバ２０へ供給する。
【００３３】
ホログラム画像蓄積サーバ４０は、ホログラム画像データを蓄積する際の制御全般及び各種データの生成等を行い、また、ホログラム画像データの蓄積に関する各種情報をデータベースとして保存する。
【００３４】
ホログラム画像蓄積サーバ４０は、種々の文字情報及び／又は画像情報をホログラム画像データとして例えばハードディスクドライブ等の図示しない大容量記憶媒体に蓄積する。文字情報及び／又は画像情報としては、例えば、予め撮影装置等によって撮影して得られたものや、コンピュータグラフィックス（Computer Graphics；ＣＧ）等によって生成されたものが挙げられる。文字情報としては、単に文字を入力しただけのものであっても構わない。すなわち、ホログラム画像蓄積サーバ４０は、ホログラムフレームを作成するための各種文字情報及び／又は画像情報をホログラム画像データとして前述の記憶媒体に蓄積する。また、ホログラム画像蓄積サーバ４０は、蓄積したホログラム画像データに対応して、これらのホログラム画像データの内容を示す各種情報を生成し、この情報を記憶媒体に保存する。さらに、ホログラム画像蓄積サーバ４０は、受注サーバ７０及びホログラム印刷出力装置８０から供給されるホログラム画像データ要求制御信号に対応して、画像処理サーバ２０においてレンダリング処理された後のデータを記憶媒体から読み出し、このデータをホログラム印刷出力装置８０に供給する。さらにまた、ホログラム画像蓄積サーバ４０は、注文受付サーバ１０から供給されるホログラム画像データ要求制御信号に対応して要求されたホログラム画像データを記憶媒体から読み出し、このホログラム画像データを画像処理サーバ２０に供給する。
【００３５】
ホログラム画像蓄積サーバ４０は、上述したように、例えばハードディスクドライブ等の大容量記憶媒体を有しており、各種ホログラム画像データを蓄積するとともに、生成されたホログラム画像データに関する各種情報をデータベースとして保存する。
【００３６】
この記憶媒体に保存されるホログラム画像データに関する各種情報としては、例えば、ホログラムフレームの元画像データを示す「処理済画像データ」、「処理済画像データ」に対応するホログラム画像データを示す「ホログラム画像データ」等が挙げられる。
【００３７】
「処理済画像データ」は、ホログラム画像データ毎に固有の識別番号が付与されてなる。「ホログラム画像データ」は、蓄積しているホログラム画像データへのリンク情報であり、必要に応じて画像の種別を示す。
【００３８】
ホログラム画像蓄積サーバ４０は、複数のホログラム画像データに対応して生成されるこのような情報をデータベースとして保存する。ホログラム画像蓄積サーバ４０は、必要に応じて記憶媒体から各種情報を読み出す。
【００３９】
このようなホログラム画像蓄積サーバ４０は、種々のホログラム画像データやレンダリング処理後のデータを蓄積するとともに、ホログラム画像データに関する情報を生成する。
【００４０】
広告画像蓄積サーバ５０は、広告画像データを蓄積する際の制御全般及び各種データの生成等を行い、また、広告画像データの蓄積に関する各種情報をデータベースとして保存する。
【００４１】
広告画像蓄積サーバ５０は、種々の広告画像データを例えばハードディスクドライブ等の図示しない大容量記憶媒体に蓄積する。広告画像データとしては、例えば、このウェブページを運営する事業者のものや、他の事業者等から提供されたものが挙げられる。すなわち、広告画像蓄積サーバ５０は、ホログラム画像データと合成するための各種広告画像データを前述の記憶媒体に蓄積する。広告画像データは、ホログラム画像データと合成されることにより、ホログラムフレームを一定の視野角から見た場合に広告画像が観察されるようになる。また、広告画像蓄積サーバ５０は、蓄積した広告画像データに対応して、これらの広告画像データの内容を示す各種情報を生成し、この情報を記憶媒体に保存する。さらに、広告画像蓄積サーバ５０は、ユーザがホログラム画像データと広告画像データとの合成を受諾する際に注文受付サーバ１０から供給される広告画像データ要求制御信号に対応して、要求された広告画像データを記憶媒体から読み出し、この広告画像データを画像処理サーバ２０に供給する。
【００４２】
上述したように広告画像蓄積サーバ５０は、例えばハードディスクドライブ等の大容量記憶媒体を有しており、各種広告画像データを蓄積するとともに、広告画像データに関する各種情報をデータベースとして保存する。広告画像蓄積サーバ５０は、必要に応じて、記憶媒体から各種情報を読み出す。
【００４３】
このような広告画像蓄積サーバ５０は、種々の広告画像データを蓄積するとともに、広告画像データに関する情報を生成する。
【００４４】
課金・決済サーバ６０は、課金及び決済のための処理全般、並びに、各種データの生成等を行い、また、課金及び決済に関する各種情報をデータベースとして保存する。
【００４５】
課金・決済サーバ６０は、注文受付サーバ１０から課金を指示する課金指示制御信号が供給されると、購入申込端末１００に対して、料金の支払いに必要となる支払方法に関する情報である支払情報を要求する。そして、課金・決済サーバ６０は、購入申込端末１００からこの支払情報を注文データとして受け取ると、課金処理を実行し、支払いが完了した旨を示す支払完了制御信号を購入申込端末１００に供給するとともに、課金処理が完了した旨を示す課金完了制御信号を注文受付サーバ１０に供給する。課金・決済サーバ６０は、これらの処理の際、注文データに基づいて、課金処理の内容を示す課金及び決済に関する各種情報を生成し、例えばハードディスクドライブ等の大容量記憶媒体にデータベースとして保存する。
【００４６】
この記憶媒体に保存される課金及び決済に関する各種情報としては、例えば、料金の請求毎に固有の識別番号とされる「課金番号」、課金処理が開始された日時を示す「課金日時」、「課金額（注文価格）」、「支払方法」、「金融機関名」、「カード番号・口座番号」、「決済状態」等が挙げられる。
【００４７】
「課金番号」は、料金の請求毎に固有の識別番号が付与されてなる。「課金日時」は、課金処理が開始された日時を示す。「課金額（注文価格）」は、少なくとも注文されたホログラム画像データに対応するホログラムフレームの料金を示す。なお、ユーザが上述した広告画像の合成を受諾したか否かによって課金額（注文価格）を変更するようにしても構わない。「支払方法」は、例えば口座引き落とし等の料金の支払方法を示し、例えば、ユーザがクレジットカードでの支払いを希望した場合には、“クレジットカード”という情報が記録され、ユーザが銀行口座からの引き落としを希望した場合には、“銀行口座”という情報が記録される。「金融機関名」は、支払方法に対応した金融機関名を示し、例えば、ユーザがクレジットカードでの支払いを希望した場合には、そのクレジットカード会社名が記録され、ユーザが銀行口座からの引き落としを希望した場合には、その銀行名が記録される。「カード番号・口座番号」は、支払方法に対応したカード番号を示し、例えば、ユーザがクレジットカードでの支払いを希望した場合には、そのクレジットカードの番号が記録され、ユーザが銀行口座からの引き落としを希望した場合には、その銀行のキャッシュカードの番号が記録される。「決済状態」は、例えば“請求中”、“受収済”といった、課金処理の進行状態を示す。
【００４８】
課金・決済サーバ６０は、複数の課金処理に対応して生成されるこのような情報をデータベースとして保存する。課金・決済サーバ６０は、必要に応じて、記憶媒体から各種情報を読み出す。
【００４９】
このような課金・決済サーバ６０は、課金及び決済に関する全ての処理を担うとともに、課金及び決済に関する情報を生成する。
【００５０】
受注サーバ７０は、ホログラムフレームの配送の受注に関する処理全般及び各種データの生成等を行い、また、受注に関する各種情報をデータベースとして保存する。
【００５１】
受注サーバ７０は、注文受付サーバ１０から供給される上述した注文データに基づいて、受注に関する各種情報を生成し、この情報を例えばハードディスクドライブ等の大容量記憶媒体に保存する。また、受注サーバ７０は、ホログラム画像を印刷する旨を指示するための印刷指示制御信号を生成し、この印刷指示制御信号をホログラム印刷出力装置８０に供給するとともに、ホログラム画像蓄積サーバ４０に対して、印刷すべきレンダリング処理後のデータを要求する旨を示す処理後データ要求制御信号を供給する。
【００５２】
受注サーバ７０は、上述したように、例えばハードディスクドライブ等の大容量記憶媒体を有するものであり、生成された受注に関する各種情報をデータベースとして保存する。
【００５３】
この記憶媒体に保存される受注に関する各種情報は、注文受付サーバ１０から供給される上述した注文データに基づいて生成されたものであり、例えば、「注文番号」、「パスワード」、「注文日時」、「ホログラム種別」、「注文数量」、「送付先名前」、「送付先住所」、「広告種別」、「鑑賞端末情報」、「処理済画像データ」等が挙げられる。これらの各種情報は、注文の受付に関する情報がそのまま用いられる。
【００５４】
受注サーバ７０は、複数の受注に対応して生成されるこのような情報をデータベースとして保存する。受注サーバ７０は、必要に応じて、記憶媒体から各種情報を読み出す。
【００５５】
このような受注サーバ７０は、ホログラムフレームの配送の受注に関する処理全般を行い、受注の内容を示す受注に関する情報を生成する。
【００５６】
ホログラム印刷出力装置８０は、ホログラムフレームを印刷物として出力する際の処理全般を行い、印刷物を外部に排出する。
【００５７】
ホログラム印刷出力装置８０は、受注サーバ７０からホログラム画像を印刷する旨を指示するための印刷指示制御信号が供給されると、ホログラム画像蓄積サーバ４０に対して、ホログラムとして印刷すべきレンダリング処理後のデータを要求する旨を示す処理後データ要求制御信号を供給し、この処理後データ要求制御信号に対応して読み出された処理後データを鑑賞端末情報に基づいて鑑賞端末１１０の表示画面に合う大きさのホログラムとして印刷する。そして、印刷が終了すると、生成したホログラムフレームとともに、印刷が終了した旨を示す印刷終了制御信号を出荷端末９０に供給する。
【００５８】
このようなホログラム印刷出力装置８０は、指定された処理後データを印刷し、ホログラムフレームを生成する。
【００５９】
出荷端末９０は、ホログラムフレームを出荷する際の処理全般を行う。出荷端末９０は、ホログラム印刷出力装置８０から印刷が終了した旨を示す印刷終了制御信号が供給されると、出荷準備のための各種処理を行う。具体的には、出荷端末９０は、正しい送付先へ指定されたホログラムフレームを出荷するために、送付先やホログラムフレーム等の情報を生成する。ホログラムフレームは、出荷準備が完了すると出荷される。この出荷の形態は、例えば郵送委託等が考えられる。出荷端末９０は、ホログラムフレームを出荷した旨を示す出荷情報を生成し、この情報を例えばハードディスクドライブ等に記録したり、表示部に表示する。このとき、出荷端末９０は、必要に応じて、受注サーバ７０にアクセスし、記憶媒体に保存されている受注に関する各種情報を読み出す。
【００６０】
このような出荷端末９０は、ホログラムフレームを正しい送付先であるユーザへと出荷するために必要な各種情報を生成するといった各種処理を行う。
【００６１】
購入申込端末１００は、例えば、パーソナルコンピュータ、携帯電話機又は携帯情報端末機といった、インターネット等のネットワークに接続可能な顧客であるユーザの所持品である。なお、購入申込端末１００は、事業者が用意したものであっても構わない。購入申込端末１００は、映像データ及びホログラム画像データの注文を行う際に、所定の接続業者を介して注文受付サーバ１０に対して接続要求を行い、接続が許可されると、注文受付サーバ１０から上述した注文用の所定の初期画面がダウンロードされ、この初期画面を図示しない表示部に表示する。
【００６２】
また、購入申込端末１００は、ユーザがこの初期画面上のボタン等を操作してパスワード等を入力することによって注文の要求を行うと、注文受付サーバ１０からの上述した注文データの要求に応じて、注文データを注文受付サーバ１０に供給する。この結果、注文が許可されると、購入申込端末１００は、注文受付サーバ１０から上述した注文用の所定のメニュー画面がダウンロードされ、このメニュー画面を表示部に表示する。
【００６３】
さらに、購入申込端末１００は、注文した映像データとホログラム画像データ等が合成されたプレビュー画像が画像処理サーバ２０からダウンロードされ、このプレビュー画像を表示部に表示する。これに応じて、ユーザがプレビュー画像を確認して注文を決定する旨を主張する所定の操作を行うと、購入申込端末１００は、上述した確認制御信号を注文受付サーバ１０に供給する。購入申込端末１００は、ホログラム画像データと広告画像データとを合成することを受諾するか否かを確認する広告画像確認表示が注文受付サーバ１０からダウンロードされ、ユーザが受諾する場合には、広告画像受諾制御信号を注文受付サーバ１０に供給する。ユーザが希望する場合には、広告画像データリストが注文受付サーバ１０から供給され、ユーザが選択した広告画像データが注文データとして注文受付サーバ１０に供給される。ユーザが画像処理サーバ２０から供給された広告画像のプレビュー画像を確認して広告画像の受諾を決定する旨を主張する所定の操作を行うと、購入申込端末１００は、上述した確認制御信号を注文受付サーバ１０に供給する。そして、購入申込端末１００は、注文受付サーバ１０から上述した所定の支払方法画面がダウンロードされ、この支払方法画面を表示部に表示する。購入申込端末１００は、ユーザがこの支払方法画面上のボタン等を操作することによって支払方法を選択し、その旨を示す支払方法制御信号を注文受付サーバ１０に供給する。
【００６４】
さらにまた、購入申込端末１００は、課金・決済サーバ６０から上述した支払情報が要求されるのに応じて、ユーザが図示しない操作部を介して所定の支払情報を入力し、この支払情報を上述した注文データとして課金・決済サーバ６０に供給する。そして、購入申込端末１００は、課金・決済サーバ６０から上述した支払完了制御信号が供給されるとともに、注文受付サーバ１０から上述した受付完了制御信号が供給される。
【００６５】
このような購入申込端末１００は、注文を行う際のユーザインターフェースとして機能するものであり、ユーザが事業者との間でネットワークを介して情報の受け渡しを行うことを可能とする通信端末である。
【００６６】
鑑賞端末１１０は、例えば、パーソナルコンピュータ、携帯電話機又は携帯情報端末機といった、インターネット等のネットワークに接続可能な顧客であるユーザの所持品である。ユーザが映像データの注文時に映像データの送信先である鑑賞端末１１０を指定することで、この鑑賞端末１１０に対して映像データが送信される。また、ユーザがホログラム画像データの注文時に、例えば鑑賞端末１１０の機種情報を注文受付サーバ１０に供給することで、ホログラム印刷出力装置において鑑賞端末１１０の表示画面に適した大きさのホログラムフレームが作成され、このホログラムフレームが鑑賞端末１１０に貼付される。
【００６７】
このような鑑賞端末１１０は、映像データがダウンロードされるとともに、ホログラムフレームが貼付される。
【００６８】
さて、このような各装置からなるホログラム受注プリントシステムは、各装置間で図２に示すような情報の受け渡しを行って、映像データを送信し、ホログラムフレームの配送を受注する。
【００６９】
ホログラム受注プリントシステムにおいては、先ず、ユーザが購入申込端末１００を介して注文受付サーバ１０にアクセスすることにより全ての処理が開始される。ホログラム受注プリントシステムにおいては、ユーザが購入申込端末１００を介して注文受付サーバ１０に注文データＯＤを送信する。ホログラム受注プリントシステムにおいては、このようにして映像データ及びホログラム画像データが注文されると、画像処理サーバ２０によって映像蓄積サーバ３０から指定された映像データが読み出され、鑑賞端末１１０に送信されると共に、ホログラム画像蓄積サーバ４０から指定されたホログラム画像データ読み出され、このホログラム画像データに所定の画像処理が施される。この結果得られたホログラム画像データは、プレビュー画像として購入申込端末１００にダウンロードされ、購入申込端末１００の表示部に表示される。また、ユーザがホログラム画像データと広告画像データとの合成を受諾する場合には、注文受付サーバ１０によって広告画像データから広告画像データが読み出され、鑑賞端末２０に供給され、所定の画像処理が施された後、プレビュー画像として購入申込端末１００にダウンロードされ、購入申込端末１００の表示部に表示される。ホログラム受注プリントシステムにおいては、ユーザがこれらのプレビュー画像を確認すると、購入申込端末１００と課金・決済サーバ６０との間で上述した注文データＯＤとしての支払情報の受け渡しが行われ、課金処理が行われる。ホログラム受注プリントシステムにおいては、注文受付サーバ１０によって課金処理に対応して上述した受注データＲＯＤが生成され、この受注データＲＯＤが受注サーバ７０に供給されることにより、ホログラムフレームＨＦが受注される。そして、ホログラム受注プリントシステムにおいては、受注サーバ７０からの印刷指示に応じて、ホログラム画像蓄積サーバ４０及びホログラム印刷出力装置８０が動作され、ホログラムフレームＨＦが生成される。このホログラムフレームＨＦは、出荷端末９０を介してユーザへと出荷され、鑑賞端末１１０に貼付される。
【００７０】
ホログラム受注プリントシステムにおいては、このような情報の受け渡しが行われ、映像データがユーザの指定した鑑賞端末１１０に送信され、ホログラムフレームがユーザの許に届くことになる。このホログラムフレームは、鑑賞端末１１０に貼付される。
【００７１】
より具体的には、ホログラム受注プリントシステムは、図３乃至図５に示すような一連の処理を行うことにより、映像データのダウンロード及びホログラムフレームの配送を行う。なお、同図においては、ホログラム受注プリントシステムにおける各装置の処理内容を示すとともに、これらの各装置間で行われる情報の受け渡しのタイミングを併せて示している。また、同図における購入申込端末１００は、実際には顧客であるユーザ自体を指し示すこともある。
【００７２】
ホログラム受注プリントシステムにおける映像データ及びホログラムフレームを注文するプロセスは、４つの工程、すなわち、接続及びユーザ照会工程、受付及び受付内容確認工程、支払確認及び受注工程、並びに、印刷及び出荷工程に大別される。
【００７３】
先ず、ホログラム受注プリントシステムにおいては、図３に示すように、接続及びユーザ照会工程が行われる。ホログラム受注プリントシステムにおいては、ステップＳ１において、購入申込端末１００によって注文受付サーバ１０にアクセス処理を行う。このアクセス処理は、例えば、ユーザが、いわゆるウェブサイトを閲覧するためのいわゆるブラウズソフトウェアを起動し、注文を行うためのウェブサイトを示すＵＲＬ（Uniform Resource Locator）を図示しない操作部を介して入力し、所定の接続業者を介して購入申込端末１００と注文受付サーバ１０との通信を確立を試みるような処理である。ホログラム受注プリントシステムにおいては、このアクセス処理に応じて、購入申込端末１００から注文受付サーバ１０に対して、接続を要求するための接続要求制御信号Ｃ１が供給される。これにともない、ホログラム受注プリントシステムにおいては、接続が許可されると、注文受付サーバ１０から購入申込端末１００に対して、上述した注文用の所定の初期画面ＩＶがダウンロードされ、購入申込端末１００の図示しない表示部に表示される。
【００７４】
続いて、ホログラム受注プリントシステムにおいては、ユーザが操作部を介してパスワード等の情報を入力することによって注文データＯＤを生成し、この注文データＯＤを注文受付サーバ１０に対してアップロードすることにより、購入申込端末１００から注文受付サーバ１０に対して注文データＯＤが供給される。
【００７５】
そして、ホログラム受注プリントシステムにおいては、ステップＳ２において、注文受付サーバ１０によってユーザの照会が行われる。なお、このユーザの照会は、必ずしも行われるものではないが、映像データとホログラム画像データとに対するアクセス権が制限されているような場合には、注文データＯＤに基づく上述したパスワードが検証されることで、ユーザの照会が行われる。
【００７６】
続いて、ホログラム受注プリントシステムにおいては、ユーザの適格が認証されて注文が許可されると、受付及び受付内容確認工程が行われる。ホログラム受注プリントシステムにおいては、注文受付サーバ１０から購入申込端末１００に対して、上述した注文用の所定のメニュー画面ＭＶがダウンロードされ、購入申込端末１００の表示部に表示される。
【００７７】
ホログラム受注プリントシステムにおいては、ステップＳ３において、所望の映像データの選択が行われる。先ず、ユーザがメニュー画面ＭＶに表示されたメニューの中から映像データリストを選択する選択ボタンを操作する選択動作により、購入申込端末１００から注文受付サーバ１０に対して、映像データリスト要求制御信号Ｃ２が供給される。注文受付サーバ１０は、この選択動作に応じて、映像データリストＶＬを購入申込端末１００に供給する。次に、ユーザが映像データリストＶＬに表示されたリストの中から注文する所望の映像データを選択し、操作部を介して当該映像データを選択するための選択ボタンを操作することによって注文を行う。ホログラム受注プリントシステムにおいては、この選択動作に応じて注文データＯＤが生成され、この注文データＯＤを注文受付サーバ１０に対してアップロードすることにより、購入申込端末１００から注文受付サーバ１０に対して、注文データＯＤが供給される。
【００７８】
注文受付サーバ１０は、注文データＯＤが供給されると、映像蓄積サーバ３０に対して注文された映像データを要求する映像データ要求制御信号Ｃ３を供給する。映像蓄積サーバ３０は、この映像データ要求制御信号Ｃ３に応じて、要求された映像データＶＤを画像処理サーバ２０に供給する。画像処理サーバ２０は、プレビュー用にこの映像データＶＤを保存すると共に、ユーザの指定した鑑賞端末１１０に送信する。鑑賞端末１１０は、この映像データＶＤを受信し、映像データＶＤのダウンロードが完了する。
【００７９】
続いて、ホログラム受注プリントシステムにおいては、ステップＳ４において、所望のホログラム画像データの選択が行われる。先ず、ユーザがメニュー画面ＭＶに表示されたメニューの中からホログラム画像データリストを選択する選択ボタンを操作する選択動作により、購入申込端末１００から注文受付サーバ１０に対して、ホログラム画像データリスト要求制御信号Ｃ４が供給される。注文受付サーバ１０は、この選択動作に応じて、ホログラム画像データリストＨＬを購入申込端末１００に供給する。次に、ユーザがホログラム画像データリストＨＬに表示されたリストの中から注文する所望のホログラム画像データを選択し、操作部を介して当該ホログラム画像データを選択するための選択ボタンを操作することによって注文を行う。ホログラム受注プリントシステムにおいては、この選択動作に応じて注文データＯＤが生成され、この注文データＯＤを注文受付サーバ１０に対してアップロードすることにより、購入申込端末１００から注文受付サーバ１０に対して、注文データＯＤが供給される。
【００８０】
注文受付サーバ１０は、注文データＯＤが供給されると、ホログラム画像蓄積サーバ４０に対して注文されたホログラム画像データを要求するホログラム画像データ要求制御信号Ｃ５を供給する。ホログラム画像蓄積サーバ４０は、このホログラム画像データ要求制御信号Ｃ５に応じて、要求されたホログラム画像データＨＤを画像処理サーバ２０に供給する。画像処理サーバ２０は、プレビュー用にこのホログラム画像データＨＤを保存する。
【００８１】
ユーザは、注文したホログラム画像データに所望の文字情報及び／又は画像情報を合成することもできる。この場合、ユーザは、所望の文字情報及び／又は画像情報を注文データＯＤとして画像処理サーバ２０にアップロードする。
【００８２】
全ての注文が終了すると、ユーザは、注文完了制御信号Ｃ６を注文受付サーバ１０に供給する。
【００８３】
続いて、ホログラム受注プリントシステムにおいては、図４に示すように、この注文完了制御信号Ｃ６に応じて、注文受付サーバ１０から画像処理サーバ２０に対して、選択された映像データ等に基づいてプレビュー画像を購入申込端末１００の表示部に表示させるためのプレビュー表示指示制御信号Ｃ７が供給される。これにともない、ホログラム受注プリントシステムにおいては、ステップＳ５において、画像処理サーバ２０によって購入申込端末１００に対するプレビュー画像の表示を行うための所定の画像処理が施される。画像処理が施された映像データ等は、プレビュー画像ＰＶＩとして購入申込端末１００に供給される。このプレビュー画像ＰＶＩは、購入申込端末１００における表示部に表示される。
【００８４】
そして、ホログラム受注プリントシステムにおいては、ユーザがプレビュー画像ＰＶＩを確認し、ホログラム画像データの注文を決定する旨を主張する所定の操作を行うと、購入申込端末１００から注文受付サーバ１０に対して、プレビュー画像ＰＶＩを確認して注文する旨を示す確認制御信号Ｃ８が供給される。ホログラム受注プリントシステムにおいては、ステップＳ６において、注文受付サーバ１０によって受付内容が確認される。注文受付サーバ１０は、受付内容ＡＣＤを画像処理サーバ２０に供給する。
【００８５】
続いて、ホログラム受注プリントシステムにおいては、ステップＳ７において、ホログラム画像に広告画像を合成することを受諾するか否かが確認される。先ず、注文受付サーバ１０から購入申込端末１００へ広告画像確認表示ＡＤＶがダウンロードされ、購入申込端末１００の表示部に表示される。ユーザが広告画像の合成を希望しない場合には、購入申込端末１００から注文受付サーバ１０へ広告拒否を主張する旨の制御信号が供給される。この場合、以下の工程を省略してステップＳ１０に進む。以下では、広告画像の合成を受諾する場合について説明する。ユーザは、広告画像の合成を受諾する場合、広告受諾を主張する旨の広告受諾制御信号Ｃ９を注文受付サーバ１０に供給する。広告受諾制御信号Ｃ９において、ユーザ自身が広告画像を選択することを希望している場合には、注文受付サーバ１０から購入申込端末１００へ広告画像データリストＡＤＬが供給される。次に、ユーザが広告画像データリストＡＤＬに表示されたリストの中から注文する所望の広告画像データを選択し、操作部を介して当該広告画像データを選択するための選択ボタンを操作することによって注文を行う。ホログラム受注プリントシステムにおいては、この選択動作に応じて注文データＯＤが生成され、この注文データＯＤを注文受付サーバ１０に対してアップロードすることにより、購入申込端末１００から注文受付サーバ１０に対して、注文データＯＤが供給される。
【００８６】
注文受付サーバ１０は、注文データＯＤが供給されると、広告画像蓄積サーバ５０に対して注文された広告画像データＡＤを要求する広告画像データ要求制御信号Ｃ１０を供給する。広告画像蓄積サーバ５０は、この広告画像データ要求制御信号Ｃ１０に応じて、要求された広告画像データＡＤを画像処理サーバ２０に供給する。画像処理サーバ２０は、プレビュー用にこの広告画像データＡＤを保存する。広告受諾制御信号Ｃ９において、ユーザ自身が広告画像を選択することを希望していない場合には、注文受付サーバ１０は、購入申込端末１００へ広告画像データリストＡＤＬを供給せず、所定の広告画像データＡＤを要求する広告画像データ要求制御信号Ｃ１０を供給する。そして、同様に広告画像蓄積サーバ５０は、この広告画像データ要求制御信号Ｃ１０に応じて、所定の広告画像データＡＤを画像処理サーバ２０に供給する。画像処理サーバ２０は、プレビュー用にこの広告画像データＡＤを保存する。
【００８７】
続いて、ホログラム受注プリントシステムにおいては、ステップＳ８において、広告画像データＡＤに対して所定の画像処理が施される。画像処理が施された広告画像は、プレビュー画像ＰＶＡＤとして購入申込端末１００に供給される。このプレビュー画像ＰＶＡＤは、購入申込端末１００における表示部に表示される。
【００８８】
そして、ホログラム受注プリントシステムにおいては、ユーザがプレビュー画像ＰＶＡＤを確認し、広告画像データＡＤの受諾を決定する旨を主張する所定の操作を行うと、購入申込端末１００から注文受付サーバ１０に対して、プレビュー画像ＰＶＡＤを確認して注文する旨を示す確認制御信号Ｃ１１が供給される。ホログラム受注プリントシステムにおいては、ステップＳ９において、注文受付サーバ１０によって最終的な受付内容が確認される。注文受付サーバ１０は、受付内容ＡＣＤを画像処理サーバ２０に供給する。
【００８９】
続いて、ホログラム受注プリントシステムにおいては、ステップＳ１０において、画像処理サーバ２０がホログラム画像データ、文字情報及び／又は画像情報、広告画像データのレンダリング処理を行う。すなわち、ホログラム画像データ、文字情報及び／又は画像情報、広告画像データをホログラム印刷用に合成して視差画像列を生成する。映像処理サーバ２０は、レンダリング処理後の処理後データＲＤをホログラム画像蓄積サーバ４０に供給する。
【００９０】
続いて、ホログラム受注プリントシステムにおいては、図５に示すように、支払確認及び受注工程が行われる。ホログラム受注プリントシステムにおいては、注文受付サーバ１０から購入申込端末１００に対して、上述した所定の支払方法画面ＣＶがダウンロードされ、購入申込端末１００の表示部に表示される。ホログラム受注プリントシステムにおいては、ユーザが支払方法画面ＣＶに表示されたメニューの中から所望の支払方法を選択し、操作部を介して当該支払方法を選択するための選択ボタンを操作することにより、購入申込端末１００から注文受付サーバ１０に対して、支払方法制御信号Ｃ１２が供給される。そして、ホログラム受注プリントシステムにおいては、ステップＳ１１において、注文受付サーバ１０によって支払方法が確認され、課金を指示する課金指示制御信号Ｃ１３が課金・決済サーバ６０に供給される。
【００９１】
続いて、ホログラム受注プリントシステムにおいては、ステップＳ１２において、課金・決済サーバ６０によって課金処理を行うための所定の準備処理が行われ、課金・決済サーバ６０から購入申込端末１００に対して、上述した支払情報を要求するための支払情報要求信号Ｃ１４が供給される。これにともない、ホログラム受注プリントシステムにおいては、ユーザが購入申込端末１００における操作部を介して所定の支払情報を入力することにより、この支払情報が上述した注文データＯＤとして購入申込端末１００により生成され、課金・決済サーバ６０に供給される。ホログラム受注プリントシステムにおいては、購入申込端末１００から課金・決済サーバ６０に対して、注文データＯＤが供給されると、ステップＳ１３において、課金・決済サーバ６０によって課金処理が実行される。
【００９２】
そして、ホログラム受注プリントシステムにおいては、課金・決済サーバ６０から購入申込端末１００に対して、支払いが完了した旨を示す支払完了制御信号Ｃ１５が供給されるとともに、課金・決済サーバ６０から注文受付サーバ１０に対して、課金処理が完了した旨を示す課金完了制御信号Ｃ１６が供給される。ホログラム受注プリントシステムにおいては、ステップＳ１４において、注文受付サーバ１０によって注文の受け付けを完了するための処理が行われ、注文受付サーバ１０から購入申込端末１００に対して、受け付けが完了した旨を示す受付完了制御信号Ｃ１７が供給されるとともに、注文受付サーバ１０から受注サーバ７０に対して、上述した受注データＲＯＤが供給される。
【００９３】
続いて、ホログラム受注プリントシステムにおいては、印刷及び出荷工程が行われる。ホログラム受注プリントシステムにおいては、ステップＳ１５において、受注サーバ７０によって画像を印刷する旨を指示するための印刷指示制御信号Ｃ１８が生成され、ホログラム印刷出力装置８０に供給される。また、ホログラム受注プリントシステムにおいては、受注サーバ７０及びホログラム印刷出力装置８０からホログラム画像蓄積サーバ４０に対して、印刷すべき処理後データを要求する旨を示す処理後データ要求制御信号Ｃ１９，Ｃ２０が供給される。これにともない、ホログラム受注プリントシステムにおいては、この処理後データ要求制御信号Ｃ１９，Ｃ２０に対応して印刷すべき処理後データＲＤがホログラム画像蓄積サーバ４０から読み出され、ホログラム印刷出力装置８０に供給される。
【００９４】
続いて、ホログラム受注プリントシステムにおいては、ステップＳ１６において、ホログラム印刷出力装置８０によって処理後データＲＤの印刷処理が行われ、さらに必要に応じて、ステップＳ１７において、印刷の後処理が行われる。この印刷の後処理としては、例えばホログラムに対する所定の加熱処理が考えられる。また、印刷の後処理としては、例えば、印刷物を所定の大きさに截断したり、印刷物を所定の台紙に貼着したりする処理も含まれる。
【００９５】
そして、ホログラム受注プリントシステムにおいては、ホログラム印刷出力装置８０から出荷端末９０に対して、生成したホログラムフレームＨＦとともに、ホログラムフレーム完成した旨を示す完了制御信号Ｃ２１が供給される。これにともない、ホログラム受注プリントシステムにおいては、ステップＳ１８において、出荷端末９０によって所定の出荷処理が行われ、ホログラムフレームがユーザに出荷される。ユーザは、ステップＳ１９において、届けられたホログラムフレームを受け取り、ユーザの所有する鑑賞端末１１０に貼付して、一連の処理を終了する。
【００９６】
以上のように、本発明の実施の形態として示すホログラム受注プリントシステムにおいて、ユーザは、所望の映像データをユーザの所有する鑑賞端末にダウンロードすることができ、また、映像データとホログラム画像データとが合成されたプレビュー画像を確認した後に、ユーザの嗜好に合ったホログラムフレームを注文することができる。すなわち、ユーザは、鑑賞する映像に合わせてホログラムフレームを選択することが可能となる。この際、ユーザは、ダウンロードした映像データを鑑賞する鑑賞端末の機種情報を選択又は入力する操作のみにより、鑑賞端末の表示画面の大きさに合ったホログラムフレームを手に入れることができる。
【００９７】
また、ホログラム受注プリントシステムにおいて、広告主は、映像データを妨げることなく、ホログラムフレームの視野角の一部に広告画像を入れることが可能となる。これによりユーザは、より低価格で、場合によっては無料で本サービスを享受することが可能となる。
【００９８】
なお、本発明は、上述した実施の形態に限定されるものではなく、例えば、上述した実施の形態では、支払い手続きが完了する前にユーザから注文された映像データを購入申込端末に送信するものとして説明したが、支払い手続き完了前には購入申込端末でのプレビューに限定し、支払い手続きが完了した後に映像データを送信するようにしても構わない。この場合、例えば、注文受付サーバにおいて注文の受付を完了するための処理が行われると、注文受付サーバから画像処理サーバへ映像データを送信する旨の制御信号が供給され、これに応じて画像処理サーバは、鑑賞端末に映像データを送信する。
【００９９】
また、上述した実施の形態では、映像データをダウンロードする際にホログラム画像データについても注文するものとして説明したが、映像データのみを注文し、後日その映像データに合ったホログラム画像データを注文するようにしても構わない。この場合、ユーザは、例えば以前にダウンロードした映像データの映像種別を入力した後に所望のホログラム画像データを選択する。これにより、ユーザの所有する映像データと選択したホログラム画像データとが合成されたプレビュー画像が生成され、ユーザは、このプレビュー画像を確認してホログラム画像データを注文することができる。注文後は、上述の場合と同様にホログラム印刷出力装置にてホログラムフレームが作成され、出荷端末を介してユーザの許に配送される。
【０１００】
また、上述した実施の形態では、購入申込端末と鑑賞端末とを別構成として説明したが、同一の端末で兼ねることも可能である。
【０１０１】
また、上述した実施の形態では、上述したように、ホログラム印刷出力装置８０によってホログラムフレームＨＦを出力するが、このホログラムフレームＨＦは、２次元の画像列をホログラムとして露光記録するホログラフィックステレオグラムであることが望ましい。このホログラフィックステレオグラムを作成する技術としては、例えば、
○「Akira Shirakura, Nobuhiro Kihara and Shigeyuki Baba, “Instant holographic portrait printing system”, Proceeding of SPIE, Vol. 3293, pp. 246-253, Jan. 1998」
○「木原、白倉、馬場：“高速ホログラムポートレイトプリントシステム”、３次元画像コンファレンス１９９８、１９９８年７月」
に記載されているように、横方向のみの視差を表現可能とする印刷物を作成するシステムの他、
○「山口、本田、大山：“リップマンホログラフィックステレオグラムを用いたホログラフィック３Ｄプリンタ”、第２０回画像工学コンファレンス、１９８９年１２月」
○「遠藤、山口、本田、大山：“ホログラフィック・３−Ｄプリンタの高密度記録”、第２３回画像工学コンファレンス、１９９２年１２月」
に記載されているように、縦横両方向の視差を表現可能とする印刷物を作成するシステムが挙げられ、ホログラム印刷出力装置８０としては、これらの技術のように、一方向又は縦横両方向の視差を表現可能とするホログラフィックステレオグラムを作成する技術を用いることができる。
【０１０２】
さらに、ホログラム印刷出力装置８０から出力されるホログラムフレームＨＦとしては、３次元の形状や色等のオブジェクトデータから光の位相計算を行い、その位相情報を露光記録するいわゆる計算機ホログラムであってもよい。
【０１０３】
さらにまた、上述した実施の形態では、画像処理サーバ２０によってホログラム画像蓄積サーバ４０及び広告画像蓄積サーバ５０に蓄積されているホログラム画像データ及び広告画像データをプレビュー表示に適した形式に変換する処理を行うものとして説明したが、この処理は、具体的には、ホログラムを作成するのに適した形式の画像、すなわち、角度方向毎の情報を含んだ視差画像群を元に変換処理が行われるものである。
【０１０４】
ここで、ホログラムを作成するのに適した形式の画像からプレビュー表示に適した形式の画像に変換する処理においては、角度方向毎の情報を含んだ視差画像群の中から、少なくとも１つ以上の複数の角度方向から観察した場合の画像を変換・抽出することが望ましい。特に、ホログラムを作成するのに適した形式の画像が、角度方向毎に観察した複数の画像の画像列となっている場合には、その画像列の中から、等間隔、両端又は中心付近といった所定の間隔で抜き出された複数の画像を、プレビュー表示に適した形式の画像として抽出することが望ましい。
【０１０５】
このように、本発明は、その趣旨を逸脱しない範囲で適宜変更が可能であることはいうまでもない。
【０１０６】
【発明の効果】
以上詳細に説明したように本発明に係るホログラム受注プリントシステムは、ネットワークを介して所望の映像データと所望のホログラム画像データに基づくホログラムフレームとの注文を行う複数の購入申込端末と、複数の購入申込端末とネットワークを介して接続され、購入申込端末のそれぞれから要求された所望の映像データ及び所望のホログラム画像データに基づくホログラムフレームの注文を受け付ける注文受付装置と、注文受付装置とネットワークとは異なる他のネットワークを介して接続され、少なくとも映像データ及びホログラム画像データを複数蓄積している蓄積装置と、注文受付装置とネットワークを介して接続され、蓄積装置に蓄積されている映像データのうち、購入申込端末により注文された所望の映像データが送信され、所望の映像データをユーザに鑑賞可能とさせる鑑賞端末と、複数の購入申込端末とネットワークを介して接続され、少なくとも注文された所望のホログラム画像データに基づくホログラムフレームに対する課金及び決済を行う課金及び決済装置と、注文受付装置と他のネットワークを介して接続され、課金及び決済装置によって課金及び決済が行われるのに応じて、購入申込端末によってネットワークを介して注文受付装置に注文されたホログラム画像データに基づいたホログラムフレームの配送を、他のネットワークを介して受注する受注装置と、注文受付装置と他のネットワークを介して接続され、他のネットワークを介して蓄積装置から供給されたホログラム画像データをホログラムフレームとして印刷して出力するホログラム印刷出力装置と、注文受付装置と他のネットワークを介して接続され、ホログラム印刷出力装置によって印刷されたホログラムフレームの出荷処理を行う出荷端末とを備え、ホログラムフレームは、出荷端末からユーザに配送され、鑑賞端末に貼付されることを特徴としている。
【０１０７】
したがって本発明に係るホログラム受注プリントシステムによっては、購入申込端末により所望の映像データと所望のホログラム画像データに基づくホログラムフレームとの注文が行われ、映像データが鑑賞端末に送信され、ホログラム画像データに基づいたホログラムフレームがユーザに配送されることで、ユーザは、ホログラムフレームの貼付された鑑賞端末で映像データとホログラムフレームとを同時に鑑賞することができる。
【０１０８】
また、本発明に係るホログラム受注プリント方法は、複数の購入申込端末により、ネットワークを介して所望の映像データと所望のホログラム画像データに基づくホログラムフレームとの注文が行われ、複数の購入申込端末とネットワークを介して接続された注文受付装置により、注文受付装置と上記ネットワークとは異なる他のネットワークを介して接続された蓄積装置が複数蓄積している映像データ及びホログラム画像データのうち、購入申込端末のそれぞれから要求された所望の映像データ及び所望のホログラム画像データに基づくホログラムフレームの注文が受け付けられ、注文受付装置とネットワークを介して接続された鑑賞端末に対して、蓄積装置に蓄積されている映像データのうち、購入申込端末により注文された所望の映像データが送信されることで、所望の映像データをユーザに鑑賞可能とされ、複数の購入申込端末とネットワークを介して接続された課金及び決済装置により、少なくとも注文された所望のホログラム画像データに基づくホログラムフレームに対する課金及び決済が行われ、注文受付装置と他のネットワークを介して接続された受注装置により、課金及び決済装置によって課金及び決済が行われるのに応じて、購入申込端末によってネットワークを介して注文受付装置に注文されたホログラム画像データに基づいたホログラムフレームの配送が、他のネットワークを介して受注され、注文受付装置と他のネットワークを介して接続されたホログラム印刷出力装置により、他のネットワークを介して蓄積装置から供給されたホログラム画像データがホログラムフレームとして印刷されて出力され、注文受付装置と他のネットワークを介して接続された出荷端末により、ホログラム印刷出力装置によって印刷されたホログラムフレームの出荷処理が行われ、ホログラムフレームは、出荷端末からユーザに配送され、鑑賞端末に貼付されるこことを特徴としている。
【０１０９】
したがって本発明に係るホログラム受注プリント方法によっては、購入申込端末により所望の映像データと所望のホログラム画像データに基づくホログラムフレームとの注文が行われ、映像データが鑑賞端末に送信され、ホログラム画像データに基づいたホログラムフレームがユーザに配送されることで、ユーザは、ホログラムフレームの貼付された鑑賞端末で映像データとホログラムフレームとを同時に鑑賞することができる。
【０１１０】
また、本発明に係るホログラム受注プリントシステムは、既に鑑賞端末に送信済みの送信済映像データの情報に基づいて、ネットワークを介して所望のホログラム画像データに基づくホログラムフレームの注文を行う複数の購入申込端末と、複数の購入申込端末とネットワークを介して接続され、購入申込端末のそれぞれから要求された所望のホログラム画像データに基づくホログラムフレームの注文を受け付ける注文受付装置と、注文受付装置とネットワークとは異なる他のネットワークを介して接続され、少なくとも映像データ及びホログラム画像データを複数蓄積している蓄積装置と、複数の購入申込端末とネットワークを介して接続され、少なくとも注文された所望のホログラム画像データに基づくホログラムフレームに対する課金及び決済を行う課金及び決済装置と、注文受付装置と他のネットワークを介して接続され、課金及び決済装置によって課金及び決済が行われるのに応じて、購入申込端末によってネットワークを介して注文受付装置に注文されたホログラム画像データに基づいたホログラムフレームの配送を、他のネットワークを介して受注する受注装置と、注文受付装置と他のネットワークを介して接続され、他のネットワークを介して蓄積装置から供給されたホログラム画像データをホログラムフレームとして印刷して出力するホログラム印刷出力装置と、注文受付装置と他のネットワークを介して接続され、ホログラム印刷出力装置によって印刷されたホログラムフレームの出荷処理を行う出荷端末とを備え、ホログラムフレームは、出荷端末からユーザに配送され、鑑賞端末に貼付されることを特徴としている。
【０１１１】
このような本発明に係るホログラム受注プリントシステムによっては、既に注文されて鑑賞端末に送信された映像データの情報に基づいて、購入申込端末によって所望のホログラム画像データが注文され、ホログラム画像データを基にしたホログラムフレームがユーザに配送されることで、ユーザは、ホログラムフレームの貼付された鑑賞端末で映像データとホログラムフレームとを同時に鑑賞することができる。
【０１１２】
また、本発明に係るホログラム受注プリント方法は、複数の購入申込端末により、既に鑑賞端末に送信済みの送信済映像データの情報に基づいて、ネットワークを介して所望のホログラム画像データに基づくホログラムフレームの注文が行われ、複数の購入申込端末とネットワークを介して接続された注文受付装置により、注文受付装置とネットワークとは異なる他のネットワークを介して接続された蓄積装置が複数蓄積しているホログラム画像データのうち、購入申込端末のそれぞれから要求された所望のホログラム画像データに基づくホログラムフレームの注文が受け付けられ、複数の購入申込端末とネットワークを介して接続された課金及び決済装置により、少なくとも注文された所望のホログラム画像データに対する課金及び決済が行われ、注文受付装置と他のネットワークを介して接続された受注装置により、課金及び決済装置によって課金及び決済が行われるのに応じて、購入申込端末によってネットワークを介して注文受付装置に注文されたホログラム画像データに基づいたホログラムフレームの配送が、他のネットワークを介して受注され、注文受付装置と他のネットワークを介して接続されたホログラム印刷出力装置により、他のネットワークを介して蓄積装置から供給されたホログラム画像データがホログラムフレームとして印刷されて出力され、注文受付装置と他のネットワークを介して接続された出荷端末により、ホログラム印刷出力装置によって印刷されたホログラムフレームの出荷処理が行われ、ホログラムフレームは、出荷端末からユーザに配送され、鑑賞端末に貼付されることを特徴としている。
【０１１３】
このような本発明に係るホログラム受注プリント方法によっては、既に注文されて鑑賞端末に送信された映像データに基づいて、購入申込端末によって所望のホログラム画像データが注文され、ホログラム画像データを基にしたホログラムフレームがユーザに配送されることで、ユーザは、ホログラムフレームの貼付された鑑賞端末で映像データとホログラムフレームとを同時に鑑賞することができる。
【図面の簡単な説明】
【図１】本発明の実施の形態として示すホログラム受注プリントシステムの構成を説明するブロック図である。
【図２】同ホログラム受注プリントシステムにおける各装置間で受け渡される情報を説明するための図である。
【図３】同ホログラム受注プリントシステムにおける一連の処理工程を説明する図であって、接続及びユーザ照会工程と受付及び受付内容確認工程のうち注文完了までの処理とを説明する図である。
【図４】同ホログラム受注プリントシステムにおける一連の処理工程を説明する図であって、受付及び受付内容確認工程のうち注文完了後の処理を説明する図である。
【図５】同ホログラム受注プリントシステムにおける一連の処理工程を説明する図であって、支払確認及び受注工程と印刷及び出荷工程とを説明する図である。
【符号の説明】
１０  注文受付サーバ、  ２０  画像処理サーバ、  ３０  映像蓄積サーバ、４０  ホログラム画像蓄積サーバ、  ５０  広告画像蓄積サーバ、  ６０  課金・決済サーバ、  ７０  受注サーバ、  ８０  ホログラム印刷出力装置、  ９０  出荷端末、  １００  購入申込端末、  １１０  鑑賞端末
【図１】
0004622139.tif 000002
【図２】
0004622139.tif 000003
【図３】
0004622139.tif 000004
【図４】
0004622139.tif 000005
【図５】
0004622139.tif 000006